(57)【要約】【課題】好適な寝心地や整体、指圧効果、スムースな入眠、安眠効果を損なうことなく、薄型、軽量化を実現する。【解決手段】上層２は、圧縮に対して復元力を有するウレタンフォームを材料としその上面に多数の突起２ａを有している。中層４は、荷重に対して所定の硬さを有しその上面に波状の凹凸が形成され下面に上面の波状の凸部４ａに対応する個所に凹部４ｃが形成されたポリエチレンフォームを材料としている。下層６は、圧縮に対して復元力を有する平板状のウレタンフォームを材料とし、これら上層２、中層４、下層６は積層され全体として三層構造体を形成している。上層２の厚さは略３５ｍｍ、中層４の厚さは略３５ｍｍ、下層６の厚さは略２０ｍｍに設定され、中層４の圧縮硬さは人体の筋肉の硬さの略１．７５倍の硬さに設定されている。【選択図】図１
0003105154.tif 000002
【実用新案登録請求の範囲】
【請求項１】
圧縮に対して復元力を有するウレタンフォームを材料としその上面に多数の突起を有する上層と、荷重に対して所定の硬さを有しその上面に波状の凹凸が形成され下面に上面の波状の凸部に対応する個所に凹部が形成されたポリエチレンフォームを材料とする中層と、圧縮に対して復元力を有するウレタンフォームを材料とする平板状の下層とを備え、前記上層、中層、下層を積層し全体として三層構造体を形成し、この三層構造体を三つ折自在とした三層構造マットレスにおいて、前記上層の厚さを略３５ｍｍ、前記中層の厚さを略３５ｍｍ、前記下層の厚さを略２０ｍｍとし、前記中層の圧縮硬さを人体の筋肉の硬さの略１．７５倍の硬さとしたことを特徴とする薄型軽量三つ折三層構造マットレス。
【請求項２】
上層下面は平坦に形成され中層の凸部に水平に当接していることを特徴とする請求項１記載の薄型軽量三つ折三層構造マットレス。
【考案の詳細な説明】
【技術分野】
【０００１】
本考案は、指圧、整体効果及び安眠効果を有する上層、中層、下層の三層構造からなる三つ折三層構造マットレスの改良に関し、特に三つ折三層構造マットレス特有の良好な感触と優れた諸効果を維持したまま薄型軽量化に工夫をこらしてなるものである。
【背景技術】
【０００２】
独特の構造を有する三層構造からなるマットレスが存在し（例えば特許文献１及び特許文献２参照）、この三層構造マットレスは仰臥人体に対し指圧効果、整体効果等を与え、且つ体圧分散されて尻部・背部を沈み込ませることなく、適度なクッション性で体重を支え正しい寝姿勢を与えるものである。この従来の三層構造マットレスの構成は、上層は圧縮に対して復元力を有する合成樹脂発泡材を材料とし、上面に多数の突起を形成されてなり、中層は荷重に対してある程度の硬さを有する合成樹脂発泡材を材料とし、その上面に波状の凹凸を形成されるとともに下面には上面の波状の凸部に対応する個所に凹部を形成されてなり、下層は復元力を有する弾性合成樹脂発泡材を材料とし、前記上層、中層、下層を積層し全体として三層構造体を形成する三層構造マットレスからなるものである。
上述した三層構造マットレスは収納・運搬を考慮して3つに折畳むことができる三つ折構造とされる場合が多い。
【０００３】
また、上記三層構造マットレスにおいて、ほぼ３等分された三層構造体の中層の周端面に上層および中層と略同材質の弾性復元力を有する合成樹脂発泡材からなる側板を設け、三つ折三層構造マットレス特有の良好な感触の維持と、隙間よりの寒気の侵入を完全に防止するようにした三つ折三層構造マットレスが知られている（例えば特許文献３参照）。
第２図は、実際に商品化された現行の三つ折三層構造マットレスの構造を示し、上層２は厚さａが４０ｍｍ、中層４は厚さｂが５２ｍｍ、下層６は厚さｃが２８ｍｍに設定されている。前記中層４は一次発泡後、熱圧成形され、官能テストに基づいて、適度な圧縮硬さ即ち人体の筋肉と同じ硬さに設定され、快適な寝心地を達成している。
【特許文献１】特公昭５３−８２４９号公報
【特許文献２】実公昭５５−９２３４号公報
【特許文献３】実公平３−４０１９５号公報
【考案の開示】
【考案が解決しようとする課題】
【０００４】
従来の図２に示す実施品においては、官能テストの結果、仰臥人体に対し指圧効果、整体効果を与え、適度なクッション性が認められ、良好な寝心地が得られることが確認されている。従来品のこの良好な寝心地は、厚さが１２ｃｍの三層構造により可能となっている。しかるに、厚さが１２ｃｍの三層構造マットレスは、三つ折時の寸法が３６ｃｍとなり、かさばって収納性が悪く、しかも製品重量が略７．５キログラムとなってしまい、薄型、軽量化に難が存した。
しかして、薄型、軽量で寝心地を含めこの種三層構造マットレス特有の諸効果を発揮できるマットレスが出現すればこれに勝るものはない。
本考案は、従来の良好な寝心地を損なうことなく、薄型、軽量化を実現し、上記諸問題点を全て解決することを目的とするものである。
【０００５】
本考案は、従来の良好な寝心地を損なうことなく、薄型、軽量化を実現し、上記諸問題点を全て解決することを目的とするものである。
【課題を解決するための手段】
【０００６】
上記目的を達成するため本考案は、圧縮に対して復元力を有するウレタンフォームを材料としその上面に多数の突起を有する上層と、荷重に対して所定の硬さを有しその上面に波状の凹凸が形成され下面に上面の波状の凸部に対応する個所に凹部が形成されたポリエチレンフォームを材料とする中層と、圧縮に対して復元力を有するウレタンフォームを材料とする平板状の下層とを備え、前記上層、中層、下層を積層し全体として三層構造体を形成し、この三層構造体を三つ折自在とした三層構造マットレスにおいて、前記上層の厚さを略３５ｍｍ、前記中層の厚さを略３５ｍｍ、前記下層の厚さを略２０ｍｍとし、前記中層の圧縮硬さを人体の筋肉の硬さの略１．７５倍の硬さとしたものである。
【０００７】
また、上層下面は平坦に形成され中層の凸部に水平に当接していることを特徴とするものである。
【考案の効果】
【０００８】
本考案は、中層の圧縮硬さを人体の筋肉の硬さの略１．７５倍の硬さとし、上層、中層、下層の厚さをそれぞれ、略３５ｍｍ、略３５ｍｍ、略２０ｍｍとし三層構造体の厚さを略９ｃｍとすることで、従来の三層構造マットレスとほぼ同一の寝心地が得られ、しかもこの種三層構造マットレス特有の指圧、整体効果、スムースな入眠、安眠効果を何等支障なく充分に発揮することができ、何よりも薄型、軽量でコンパクトであることからその取扱性、圧収納性に優れた諸効果を発揮することが可能となった。
【０００９】
上層下面は平坦に形成され中層の凸部に水平に当接していることから薄型軽量化してもより一層この種三層構造マットレス特有の諸機能・効果の維持を図ることができる。
【考案を実施するための最良の形態】
【００１０】
以下に本考案の実施の形態を添付した図面を参照して詳細に説明する。
図１は本考案にかかる三層構造マットレスの実施形態を示し、三層構造体１は、頭部分１ａ、腰部分１ｂ、足部分１ｃにほぼ３等分され、それぞれ外装側地（図示省略）により覆われるとともに、該側地の対向面の上縁若しくは下縁が連結されて３つに折畳むことができる三つ折構造となるものである。
【００１１】
三層構造体１は、平板状の発泡ウレタンフォーム等の合成樹脂発泡材からなり弾性復元力を有し睡眠の妨げとなる外界の振動を吸収する等の目的を有する下層６と、布団の巾方向にほぼ平行して凸部４ａと凹部４ｂが繰り返し連続する波状部が上面に形成され且つ下面には上面の波状の凸部４ａに対応する個所に凹部４ｃが形成されたポリエチレンフォーム等の合成樹脂発泡材からなり且つ圧縮荷重負荷に対する対向性を有する中層４と、上面が多数の山状の凸部２ａが形成されたウレタンフォーム等の合成樹脂発泡材からなる圧縮に対して弾性復元力を有する上層２が積層された三層構造体である。
【００１２】
上層２の厚さｄは、３５ｍｍ（谷の深さ１５ｍｍ）、中層４の厚さｅは３５ｍｍ（山の数計９山）、下層６の厚さｆは２０ｍｍに設定され、三層構造体１の全体の厚さは９ｃｍとなっている。上層２の下面は平坦に形成され、上層２の下面は中層４の山に水平に当接あるいは接着されている。
中層４は、人体の筋肉の１．７５倍の圧縮硬さを有し、この硬さにより、三層構造体１の各層の薄型化を可能としている。中層４は波状体により構成され、仰臥する人体の体重を堅固に支持するもので、尻部、背部等部分的に重量の多い部位を過度に沈み込ませることなく背骨を正しく保ち正しい寝姿勢を与えるものであり、日中に於いて無理な姿勢から生ずる背骨の歪み等を整え（整体効果）、腰痛等の障害を緩解或いは治癒する効果を有している。
【００１３】
また上層２は、中層４（特に凸部４ａ部）による体重支持を柔げるとともに、上層２の多数の凸起２ａが人体皮膚表面を押圧する効果（指圧効果）を与えるものである。  尚、上層２の足元部にイオン電床帯（図示省略）を配設し、高電圧のマイナス電荷をこのイオン電床帯に与えれば、人体が酸性化するのを防止し、腰痛、肩こり、不眠症等に治療効果を有する陰電位療法を睡眠中になすことも可能である。
【００１４】
本実施形態にかかる三層構造マットレスは、薄型化により製品重量が５．１キログラムであり、現行品に比べ２．４キログラム軽量化されている。また、三つ折り時の寸法は２７ｃｍとなっており、現行品の３６ｃｍに比しより薄型化されている。また、本実施品は、官能テストにより、現行品の１２ｃｍの厚さの三層構造の寝心地とほぼ同一の寝心地が確認されている。
【図面の簡単な説明】
【００１５】
【図１】本考案に係る三層構造マットレスの概略断面図である。
【図２】従来技術の断面説明図である。
【符号の説明】
【００１６】
１  三層構造マットレス
２  上層
２ａ  凸部
４  中層
４ａ  凸部
４ｂ  凹部
４ｃ  凹部
６  下層
【図１】
0003105154.tif 000003
【図２】
0003105154.tif 000004